(57)【要約】【課題】ろう付け不良の問題を解決することができるＥＧＲクーラを提供する。【解決手段】ＥＧＲクーラ１００ａは、冷却媒体流入口１及び冷却媒体流出口２を備えたケース３と、ケース３内に配置されＥＧＲガス流路が形成された複数のチューブ４と、ケース３の上流側に設けられＥＧＲガスを各チューブ内１２へ導入するための導入用コーン７と、ケース３の下流側に設けられＥＧＲガスを各チューブ内１２から導出するための導出用コーン８と、を有し、ケース３には、長手方向両端側を閉塞する壁面３０ａ，３０ｂが一体成形されており、仕切板の機能をケース３に保持させて仕切板を廃止した。【選択図】    図１
2007051576.tif 000002
【特許請求の範囲】
【請求項１】
ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、
前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ内から導出するための導出用コーンと、を有し、
前記ケースは、長手方向両端側を閉塞する壁面が一体成形されており、該壁面には、前記チューブを挿入して一体ろう付け可能な複数のチューブ取付孔が設けられていることを特徴とするＥＧＲクーラ。
【請求項２】
請求項１に記載のＥＧＲクーラにおいて、
前記ケースを構成する側壁面には、長手方向に沿って凹凸を繰り返す波状部が設けられていることを特徴とするＥＧＲクーラ。
【請求項３】
請求項１又は２に記載のＥＧＲクーラにおいて、
前記ケースは、上流側ケースと下流側ケースとで構成されており、該上流側ケースと該下流側ケースとを相互に嵌合させてろう付け接合したものであることを特徴とするＥＧＲクーラ。
【請求項４】
請求項１又は２に記載のＥＧＲクーラにおいて、
前記ケースは、上流側ケースと下流側ケースとで構成されており、該上流側ケースと該下流側ケースとを相互に突き合わせてろう付け接合したものであることを特徴とするＥＧＲクーラ。
【請求項５】
請求項１又は２記載のＥＧＲクーラにおいて、
前記ケースは、上流側ケースと下流側ケースとで構成されており、該上流側ケースと該下流側ケースとの間に耐熱性の弾性部材を介在させて相互にろう付け接合したものであることを特徴とするＥＧＲクーラ。
【請求項６】
ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、
前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ内から導出するための導出用コーンと、を有し、
前記ケースは、長手方向両端側が開口形成されて上流側開口部及び下流側開口部を備え、
前記導入用コーンは、下流側に向けて凸となり、前記上流側開口部を閉塞する壁面が一体成形されており、該壁面には、前記チューブを挿入して一体ろう付け可能な複数のチューブ取付孔が設けられ、
前記導出用コーンは、上流側に向けて凸となり、前記下流側開口部を閉塞する壁面が一体成形されており、該壁面には、前記チューブを挿入して一体ろう付け可能な複数のチューブ取付孔が設けられていることを特徴とするＥＧＲクーラ。
【請求項７】
請求項６に記載のＥＧＲクーラにおいて、
前記ケースを構成する側壁面には、長手方向に沿って凹凸を繰り返す波状部が設けられていることを特徴とするＥＧＲクーラ。
【請求項８】
ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、
前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ外へ導出するための導出用コーンと、を有し、
前記ケースは、長手方向上流側が開口形成されて上流側開口部を備えるとともに、長手方向下流側を閉塞する壁面が一体成形されており、該壁面には、前記チューブを挿入して一体ろう付け可能な複数のチューブ取付孔が設けられ、
前記導入用コーンは、下流側に向けて凸となり、前記ケースの長手方向上流側を閉塞する壁面が一体成形されており、該壁面には、前記チューブを挿入して一体ろう付け可能な複数のチューブ取付孔が設けられていることを特徴とするＥＧＲクーラ。
【請求項９】
請求項８に記載のＥＧＲクーラにおいて、
前記ケースを構成する側壁面には、長手方向に沿って凹凸を繰り返す波状部が設けられていることを特徴とするＥＧＲクーラ。
【請求項１０】
ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、
前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ外へ導出するための導出用コーンと、を有し、
前記ケースは、長手方向下流側が開口形成されて下流側開口部を備えるとともに、長手方向上流側を閉塞する壁面が一体成形されており、該壁面には、前記チューブを挿入して一体ろう付け可能な複数のチューブ取付孔が設けられ、
前記導出用コーンは、上流側に向けて凸となり、前記ケースの長手方向下流側を閉塞する壁面が一体成形されており、該壁面には、前記チューブを挿入して一体ろう付け可能な複数のチューブ取付孔が設けられていることを特徴とするＥＧＲクーラ。
【請求項１１】
請求項１０に記載のＥＧＲクーラにおいて、
前記ケースを構成する側壁面には、長手方向に沿って凹凸を繰り返す波状部が設けられていることを特徴とするＥＧＲクーラ。
【発明の詳細な説明】
【技術分野】
【０００１】
本発明は、内燃機関から排出された排気ガスと冷却媒体との間で熱交換を行う熱交換器に関し、特にＥＧＲガスを冷却するためのＥＧＲクーラに関する。
【背景技術】
【０００２】
一般のＥＧＲクーラ９０は、図９に示すように、冷却媒体流入口９１及び冷却媒体流出口９２を有するケース９３と、ケース９３内に配置されＥＧＲガスが流れる複数のチューブ９４と、ケース９３の長手方向両端部に設けられ各チューブ９４を組付けるためのチューブ取付孔９５を有する。そして、各チューブ９４間及びチューブ９４とケース９３との間を仕切るように構成された仕切板９６（例えば、エンドプレート若しくはチューブプレート等）と、ケース９３の上流側端部に設けられＥＧＲガスを各チューブ９４に導入するための導入用コーン９７（例えば、上流側キャップ）と、ケース９３の下流側端部に設けられＥＧＲガスを各チューブ９４から導出するための導出用コーン９８（例えば、下流側キャップ）と、各コーン９３の両端側に設けられＥＧＲガス流入口９９及びＥＧＲガス流出口１０４が形成されたフランジ１０１ａ，１０１ｂと、を備えている。
【０００３】
すなわち、従来のＥＧＲクーラ９０は、ケース９３の長手方向両端部が仕切板９６で閉塞された構造を有し、各チューブ内１０２を流れるＥＧＲガスと各チューブ間の通路１０３を流れる冷却媒体との間で熱交換が行われ、ＥＧＲガスがケース９３内で冷却されるようになっている。なお、図示していないが、各チューブ内１０２には通常フィンが設けられている。
【０００４】
ところで、従来のＥＧＲクーラにあっては、上記の各部材がろう付け接合されており、特にチューブ９４と仕切板９６との接合部にはろう付け不良が生じやすい。そのため、従来、チューブ９４を仕切板９６に仮組付けした際に、チューブ９４の端部をカシメることにより、ろう付け不良を防ぐ技術などがある。また、これに関連する技術としては、下記特許文献１〜６に示すような発明もある。
【特許文献１】欧州特許第１３４８９２４号明細書
【特許文献２】特開２００２−２９５９９２号公報
【特許文献３】特開２００２−３２７９９６号公報
【特許文献４】特開２００３−１８４６５９号公報
【特許文献５】特開２００３−２２７６９１号公報
【特許文献６】特開２００３−２２７６９５号公報
【発明の開示】
【発明が解決しようとする課題】
【０００５】
しかしながら、従来の技術であっても、依然としてろう付け不良の問題があった。すなわち、前述のようにチューブ９４の端部をカシメてろう付けした場合には、ろう付け時に昇温、降温した際に、チューブ９４とケース９３との間に温度差が生じやすい。そして、チューブ９４とケース９３との熱膨張量が異なるが故に、カシメ部など（例えば、図９（ａ）の丸印で示した部位）に隙間が生じやすくなり、ろう付け不良が生じてしまう。
【０００６】
そこで、本発明は、ろう付け不良の問題を解決することができるＥＧＲクーラを提供することを目的とする。
【課題を解決するための手段】
【０００７】
上記課題を解決するために、本発明は、ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ内から導出するための導出用コーンと、を有し、前記ケースは、長手方向両端側を閉塞する壁面が一体成形されており、該壁面には、前記チューブを挿入して一体ろう付け可能な複数のチューブ取付孔が設けられていることを特徴とする。
【０００８】
さらに、本発明において、前記ケースを構成する側壁面には、長手方向に沿って凹凸を繰り返す波状部が設けられていることを特徴とする。
【０００９】
さらに、本発明において、前記ケースは、上流側ケースと下流側ケースとで構成されており、該上流側ケースと該下流側ケースとを相互に嵌合させてろう付け接合したものであることを特徴とする。
【００１０】
さらに、本発明において、前記ケースは、上流側ケースと下流側ケースとで構成されており、該上流側ケースと該下流側ケースとを相互に突き合わせてろう付け接合したものであることを特徴とする。
【００１１】
さらに、本発明において、前記ケースは、上流側ケースと下流側ケースとで構成されており、該上流側ケースと該下流側ケースとの間に耐熱性の弾性部材を介在させて、相互にろう付け接合したものであることを特徴とする。
【００１２】
また、本発明は、ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ内から導出するための導出用コーンと、を有し、前記ケースは、長手方向両端側が開口形成されて上流側開口部及び下流側開口部を備え、前記導入用コーンは、下流側に向けて凸となり、前記上流側開口部を閉塞する壁面が一体成形されており、該壁面には、前記チューブを挿入して一体ろう付け可能な複数のチューブ取付孔が設けられ、前記導出用コーンは、上流側に向けて凸となり、前記下流側開口部を閉塞する壁面が一体成形されており、該壁面には、前記チューブを挿入して一体ろう付け可能な複数のチューブ取付孔が設けられていることを特徴とする。
【００１３】
さらに、本発明において、前記ケースを構成する側壁面には、長手方向に沿って凹凸を繰り返す波状部が設けられていることを特徴とする。
【００１４】
また、本発明は、ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ外へ導出するための導出用コーンと、を有し、前記ケースは、長手方向上流側が開口形成されて上流側開口部を備えるとともに、長手方向下流側を閉塞する壁面が一体成形されており、該壁面には、前記チューブを挿入して一体ろう付け可能な複数のチューブ取付孔が設けられ、前記導入用コーンは、下流側に向けて凸となり、前記ケースの長手方向上流側を閉塞する壁面が一体成形されており、該壁面には、前記チューブを挿入して一体ろう付け可能な複数のチューブ取付孔が設けられていることを特徴とする。
【００１５】
さらに、本発明において、前記ケースを構成する側壁面には、長手方向に沿って凹凸を繰り返す波状部が設けられていることを特徴とする。
【００１６】
また、本発明は、ＥＧＲガスが流れる複数のＥＧＲガス流路と、冷却媒体が流れる複数の冷却媒体流路とが交互に配置され、前記ＥＧＲガス流路と前記冷却媒体流路との隔壁を介して、前記ＥＧＲガスと前記冷却媒体との間で相互に熱交換を行わせることにより、前記ＥＧＲガスを冷却するためのＥＧＲクーラであって、前記冷却媒体流路に連通する冷却媒体流入口及び冷却媒体流出口を備えたケースと、前記ケース内に配置され前記ＥＧＲガス流路が形成された複数のチューブと、前記ケースの上流側に設けられ前記ＥＧＲガスを各チューブ内へ導入するための導入用コーンと、前記ケースの下流側に設けられ前記ＥＧＲガスを各チューブ外へ導出するための導出用コーンと、を有し、前記ケースは、長手方向下流側が開口形成されて下流側開口部を備えるとともに、長手方向上流側を閉塞する壁面が一体成形されており、該壁面には、前記チューブを挿入して一体ろう付け可能な複数のチューブ取付孔が設けられ、前記導出用コーンは、上流側に向けて凸となり、前記ケースの長手方向下流側を閉塞する壁面が一体成形されており、該壁面には、前記チューブを挿入して一体ろう付け可能な複数のチューブ取付孔が設けられていることを特徴とする。
【００１７】
さらに、本発明において、前記ケースを構成する側壁面には、長手方向に沿って凹凸を繰り返す波状部が設けられていることを特徴とする。
【発明の効果】
【００１８】
本発明によれば、ＥＧＲクーラにおけるろう付け不良の問題を解決することができる。
【発明を実施するための最良の形態】
【００１９】
以下、添付図面を参照しながら本発明の各実施形態について説明する。
【００２０】
＝＝＝第一実施形態＝＝＝
図１は、本発明の第一実施形態におけるＥＧＲクーラ１００ａを示す断面図、図２（ａ）は図１の上流側ケース３ａを示す図、図２（ｂ）は図２（ａ）のＢ−Ｂ線矢視図、図３及び図４は上流側ケースと下流側ケースの接合形態を示す図である。但し、同図にはフィンを示していない。
【００２１】
図１及び図２に示すように、本実施形態のＥＧＲクーラ１００ａは、冷却媒体流入口１及び冷却媒体流出口２を備えたケース３と、ケース３内に配置され内部にＥＧＲガス流路が形成された複数のチューブ４と、ケース３の上流側に設けられＥＧＲガスを各チューブ内１２へ導入するための導入用コーン７と、ケース３の下流側に設けられＥＧＲガスを各チューブ内１２から導出するための導出用コーン８と、を有し、ケース３には、長手方向両端側を閉塞する壁面３０ａ，３０ｂが一体成形されている。なお、導入用コーン７及び導出用コーン８には、それぞれフランジ１１ａ，１１ｂが設けられ、ＥＧＲガス流入口９及びＥＧＲ流出口２４が形成されている。冷却媒体は、冷却媒体流入口１及び冷却媒体流出口２に連通するチューブ間等１３を流れ、チューブ内１２を流れるＥＧＲガスを冷却する。
【００２２】
ケース３は、その中心部付近において左右に分割されてなる上流側ケース３ａと下流側ケース３ｂとで構成されており、チューブ４を上流側ケース３ａと下流側ケース３ｂとで左右から挟み込むようにして取り付けた後に、両者を接合させたものである。より具体的には、上流側ケース３ａと下流側ケース３ｂとは、相互に嵌合するように成形されており、接合部１５ａ及び接合部１５ｂを介してろう付け接合されている。なお、本実施形態のケース３は、長手方向両端側が壁面３０ａ，３０ｂで閉塞された構成であるため、一対の上流側ケース３ａと下流側ケース３ｂとを相互に接合させたものとしている。しかし、ケースの長手方向両端側が閉塞されていたとしても、チューブ４を取り付けることが可能であれば、ケース３を一体成形されたものとしてもよい。但し、その場合、ケース３には接合部１５ａ，１５ｂが形成されていないこととなる。
【００２３】
上流側ケース３ａ及び下流側ケース３ｂには、それぞれ長手方向上流側及び下流側を閉塞する壁面３０ａ，３０ｂが一体成形されている。そして、図２（ａ），（ｂ）に例示するように、各壁面３０ａ，３０ｂには、それぞれ複数のチューブ取付孔２５ａ，２５ｂが設けられ、チューブ４を挿入して一体ろう付けすることが可能である。これらの壁面３０ａ，３０ｂは、いずれも上流側ケース３ａ及び下流側ケース３ｂを構成するプレートを折り曲げて一体成形したものであるが、所定の型枠を用いて一体成形したものであってもよい。なお、図示した上流側ケース３ａと下流側ケース３ｂとは、相互に非対称的な構成であるが、例えば図３に示すように、上流側と下流側とを相互に対称的な構成としてもよい。
【００２４】
ケース３を構成する側壁面には、長手方向に沿って凹凸を繰り返す波状部１４が回周状に設けられており、上流側ケース３ａの側壁面には波状部１４ａが設けられ、他方、下流側ケース３ｂの側壁面には波状部１４ｂが設けられている。波状部１４ａ，１４ｂと最上段及び最下段のチューブとの間には、冷却媒体が流れる空間が形成されている。なお、同図では、上流側ケース３ａ及び下流側ケース３ｂの双方に波状部１４を設けた構成としているが、いずれか一方のみに波状部１４を設けた構成としてもよく、あるいはケース３を構成する側壁面に波状部１４を設けない構成としてもよい。また、波状部１４の形状は、長手方向に沿って凹凸を繰り返すものであれば、図示したような断面略波形状の場合に限定されるものではなく、例えば、断面略三角形状のような形状であってもよい。
【００２５】
ところで、上流側ケース３ａ及び下流側ケース３ｂの接合形態は、図示した形態に限定されるものではなく、両者が密接した状態で接合する構造であれば、図３及び図４に示すような形態としてもよい。すなわち、図３に示すＥＧＲクーラ１００ｂのように、上流側ケース３ａの接合部３５ａと下流側ケース３ｂの接合部３５ｂとを相互に突き合わせてろう付け接合する形態としてもよい。或いは図４に示すＥＧＲクーラ１００ｃのように、上流側ケース３ａに形成したＬ字末端部４５ａと下流側ケース３ｂに形成した凸部４５ｂとの間に、耐熱性の弾性部材４０（例えば、ゴムやバネ）を介在させてから、上流側ケース３ａの接合部１５ａと下流側ケース３ｂの接合部１５ｂとを相互にろう付け接合する形態としてもよい。
【００２６】
以上の構成によれば、ケース３には長手方向両端側を閉塞する壁面３０ａ，３０ｂが一体成形されており、仕切板の機能を兼ね備えている。また、ケース３には波状部１４が設けられ、ろう付け時における熱膨張を吸収する構造となっている。そのため、カシメ部などにも隙間が生じにくくなり、ろう付け不良の問題を解決することができる。また、図３及び図４のような接合形態とした場合には、接合部３５ａ，３５ｂ、及び弾性部材４０も熱膨張を吸収するため、よりいっそう優れた効果を奏する。
【００２７】
＝＝＝第二実施形態＝＝＝
次に、図５及び図６を参照しながら、本発明の第二実施形態について説明する。図５は本発明の第二実施形態におけるＥＧＲクーラ２００ａを示す断面図、図５は本発明の第二実施形態におけるＥＧＲクーラ２００ｂを示す断面図である。但し、第一実施形態と同一若しくは類似の箇所には、同一の符号を付与し或いは符号の付与を省略している。また、説明の便宜上、同図には冷却媒体流入口及び冷却媒体流出口を示していない。
【００２８】
図５及び図６に示すケース３３は、いずれも上流側と下流側とに分割されることなく一体成形されており、長手方向両端側が開口形成されて上流側開口部３３ａ及び下流側開口部３３ｂを備えている。また、導入用コーン７０は、下流側に向けて凸となり、上流側開口部３３ａを閉塞する壁面７０ａが一体成形されており、その壁面７０ａには、チューブ４を挿入して一体ろう付け可能な複数のチューブ取付孔２５ａが設けられている。一方、導出用コーン８０は、上流側に向けて凸となり、下流側開口部３３ｂを閉塞する壁面８０ｂが一体成形されており、その壁面８０ｂには、チューブ４を挿入して一体ろう付け可能な複数のチューブ取付孔２５ｂが設けられている。なお、図５に示すケース３３には波状部１４が設けられており、図６に示すケース３３には波状部１４が設けられていない。しかし、図５に示すケース３３には波状部１４を設けない構成とし、他方、図６に示すケース３３には波状部１４を設けた構成としてもよい。
【００２９】
ところで、図５に示すＥＧＲクーラ２００ａの場合には、ケース３３と導入用コーン７０、及びケース３３と導出用コーン８０との接合部Ｖが湾曲状に加工されており、相互に嵌合するようにして接合している。一方、図６に示すＥＧＲクーラ２００ｂの場合には、ケース３３と導入用コーン７０、及びケース３３と導出用コーン８０との接合部VIが平面状に加工されており、相互に貼り合わせるようにして接合している。
【００３０】
以上の構成によれば、導入用コーン７０の壁面７０ａ及び導出用コーン８０の壁面８０ｂは、それぞれケース３の上流側開口部３３ａ及び下流側開口部３３ｂを閉塞し、仕切板の機能を発揮する。従って、カシメ部などに隙間が生じにくくなり、ろう付け不良の問題を解決することができる。
【００３１】
＝＝＝第三実施形態＝＝＝
次に、図７及び図８を参照しながら本発明の第三実施形態について説明する。図７及び図８は、第一実施形態と第二実施形態を組み合わせた場合のＥＲＧクーラ３００ａ，３００ｂを示す図である。
【００３２】
図７に示すＥＧＲクーラ３００ａは、第一実施形態の特徴を下流側に適用し、第二実施形態の特徴を上流側に適用したものである。すなわち、ケース３３７は、長手方向上流側が開口形成されて上流側開口部３３７ａを備えるとともに、長手方向下流側を閉塞する壁面３３７ｂが一体成形されており、その壁面３３７ｂには、チューブ４を挿入して一体ろう付け可能な複数のチューブ取付孔２５ｂが設けられている。また、導入用コーン７０は、下流側に向けて凸となり、ケースの長手方向上流側を閉塞する壁面７０aが一体成形されており、その壁面７０ａには、チューブ４を挿入して一体ろう付け可能な複数のチューブ取付孔２５ａが設けられている。
【００３３】
一方、図８に示すＥＧＲクーラ３００ｂは、第一実施形態の特徴を上流側に適用し、第二実施形態の特徴を下流側に適用したものであり、図７に示したＥＧＲクーラ３００ａの上流側と下流側とを逆転した構造となっている。すなわちケース３３８は、長手方向下流側が開口形成されて下流側開口部３３８ｂを備えるとともに、長手方向上流側を閉塞する壁面３３８ａが一体成形されており、その壁面３３８ａには、チューブ４を挿入して一体ろう付け可能な複数のチューブ取付孔２５ａが設けられている。また、導出用コーン８０は、上流側に向けて凸となり、ケース３３８の長手方向下流側を閉塞する壁面８０ｂが一体成形されており、その壁面８０ｂには、チューブ４を挿入して一体ろう付け可能な複数のチューブ取付孔２５ｂが設けられている。
【００３４】
以上の構成によれば、第一実施形態及び第二実施形態の場合と同様、ろう付け不良の問題を解決することができる。
【図面の簡単な説明】
【００３５】
【図１】本発明の第一実施形態におけるＥＧＲクーラを示す断面図である。
【図２】図１の上流側ケースを示す図である。
【図３】上流側ケースと下流側ケースとの接合形態（突き合せ接合）を示す図である。
【図４】上流側ケースと下流側ケースとの接合形態（弾性部材の介在）を示す図である。
【図５】本発明の第二実施形態におけるＥＧＲクーラの一例を示す断面図である。
【図６】本発明の第二実施形態におけるＥＧＲクーラの一例を示す断面図である。
【図７】本発明の第三実施形態におけるＥＲＧクーラの一例を示す断面図である。
【図８】本発明の第三実施形態におけるＥＲＧクーラの一例を示す断面図である。
【図９】従来のＥＲＧクーラの一例を示す断面図である。
【符号の説明】
【００３６】
３（３ａ，３ｂ）  ケース（上流側ケース,下流側ケース）
３３、３３７、３３８  ケース
７、７０  導入用コーン
８、８０  導出用コーン
１４    波状部
１５（１５ａ,１５ｂ）  接合部
２５（２５ａ,２５ｂ）  チューブ取付孔
３５（３５ａ,３５ｂ）  接合部
４０    弾性部材
１００、２００、３００  ＥＧＲクーラ
【図１】
2007051576.tif 000003
【図２】
2007051576.tif 000004
【図３】
2007051576.tif 000005
【図４】
2007051576.tif 000006
【図５】
2007051576.tif 000007
【図６】
2007051576.tif 000008
【図７】
2007051576.tif 000009
【図８】
2007051576.tif 000010
【図９】
2007051576.tif 000011